(57)【特許請求の範囲】
【請求項１】
脚１０で支持された床１を設け、この床１に便器１３を設けると共に、床１の下方に便容器１７を取付け、さらに、前記床１に直線状の汲取りホース支承筒２２を吊下げて設け、この汲取りホース支承筒２２は、上部開口部２４より汲取りホース２７を挿入できる内径に形成すると共に、汲取りホース支承筒２２の下部吸入口２５を、便容器１７の底部１８から小間隔離して設け、かつ、汲取りホース支承筒２２の下部吸入口２５には、汲取りホース２７の下降を阻止するストッパ２６を設けた簡易トイレ。
【発明の詳細な説明】
【０００１】
【発明の属する技術分野】
本発明は、災害時などに使用する簡易トイレに関する。
【０００２】
【従来の技術】
本件出願人は、さきに仮設便所の発明をした。そして、その発明は特公昭５８−４７５３４号として出願公告されている。
【０００３】
前記出願公告された発明は、図４に示すように、脚１０で支持された床１に、便器１３を設けると共に、床１の下方に便容器１７を取付け、便容器１７には、固液分離器３０を設けると共に、便容器１７の側壁に、便汲取用のＬ形筒５３を取付けたものである。
【０００４】
そして、前記Ｌ形筒５３は下部の水平方向に延びる吸入口５５が、便容器１７の側壁を貫通して便容器１７内に、便容器１７の底部１８より小間隔離して上方に開口するように形成し、Ｌ形筒１６の上部の開口は、常時は盲栓５４で閉鎖したものである。
【０００５】
【発明が解決しようとする課題】
簡易トイレは、長期間使用すると、当然のこととして便容器内に屎尿が充満する。そこで、便容器内の屎尿を汲取るが、この屎尿の最も簡単な汲取り方法は、便器に設けられた開口から、バキュームカーの汲取りホースを便容器内に挿入して屎尿を汲取る方法である。
【０００６】
ところが、前記屎尿の汲取り方法では、便器内の屎尿の全部を汲取ってしまうことがある。
そうすると、次回からの簡易トイレの使用によって、便容器内に入った固形物は固まり、山形に堆積し、使用者に嫌悪感を抱かせるというばかりでなく、微生物などを含有する屎尿が便容器内から汲取られてなくなるので、便容器内に排出されて堆積した大便が、溶解され難く、かつ、微生物などによって分解され難くなり、便容器に固液分離器などを設置した場合には、固液分離器に目詰まりを発生させる等の問題がある。
【０００７】
そこで、図４に示される簡易トイレが発明されたのであり、この図４に示される簡易トイレは、便汲取用のＬ形筒５３の吸入口５５を、便容器１７の底部１８より小間隔離して上方に設けたものである。
【０００８】
したがって、図４に示される簡易トイレは、Ｌ形筒５３を使用して屎尿を汲取ると、必ず、便容器１７の底部１８上に、一定量の屎尿が残存することとなり、便容器１７内の固形物が上方に突出せず、その後の使用者に嫌悪感を抱かせることを防ぐことができ、また、その後便容器１７内に排出された大便を、残存する屎尿によって溶解し、かつ、微生物によって早期に分解できるものである。
【０００９】
ところが、前記図４に示される簡易トイレは、屎尿の汲取り時にＬ形筒５３の下部の吸入口５５に目詰まりした固形物が排除し難かった。
本発明は、前記事項に鑑みなされたものであり、屎尿の汲取りに用いる筒の吸入口を、便容器の底部より小間隔離して上方に設けた汲取り用の筒において、吸入口に目詰まりした固形物を、排除し易いようにすることを課題とする。
【００１０】
【課題を解決するための手段】
本発明は、脚１０で支持された床１を設け、この床１に便器１３を設けると共に、床１の下方に便容器１７を取付け、さらに、前記床１に直線状の汲取りホース支承筒２２を吊下げて設け、この汲取りホース支承筒２２は、上部開口部２４より汲取りホース２７を挿入できる内径に形成すると共に、汲取りホース支承筒２２の下部吸入口２５を、便容器１７の底部１８から小間隔離して設け、かつ、汲取りホース支承筒２２の下部吸入口２５には、汲取りホース２７の下降を阻止するストッパ２６を設けた簡易トイレとした。
【００１１】
【発明の実施の形態】
以下図に基づいて本発明の実施の形態の説明をする。図１〜図３は本発明の一実施の形態を示すものである。
【００１２】
この実施の形態は、枠材７を長方形の４角形に組立て、さらに、長尺に形成された１対の枠材７間には、１本の枠材７と２本の桟９を架設してある。
そして、前記４角形に組立てられた枠材７は、４本の脚１０で支持されている。
【００１３】
そして、前記枠材７の上面には、床１が設けてあり、この床１は、枠材７の上面に敷設したベニヤ板２と、さらに、そのベニヤ板２の上に敷設した塩化ビニール樹脂製の合成樹脂シート３で形成されている。
【００１４】
そして、前記床１の奥寄りの位置には、便器１３装着用の孔が設けてあり、この孔に合成樹脂製の便器１３の下部が挿入され、便器１３に設けた便器フランジ１４が、床１の孔縁に載置されて便器１３を止着している。
【００１５】
そして、床１の下方には、可撓性を有する合成樹脂で４角形の袋状に形成された便容器１７が、図示しない取付具で取付けてある。
さらに、前記床１の前寄りの位置の一側には、汲取りホース支承筒２２の挿入用の孔が設けてあり、この孔に硬質の合成樹脂で、直線状に形成された汲取りホース支承筒２２を挿入し、この汲取りホース支承筒２２の上部開口部２４に設けたフランジ２３を、床１に設けた前記汲取りホース支承筒２２挿入用の孔の縁に載置して、直線状の汲取りホース支承筒２２を床１に吊下げて設けてある。
【００１６】
そして、この汲取りホース支承筒２２は、上部開口部２４より、バキュームカーの汲取りホース２７を挿入できる内径に形成されている。
そして、前記汲取りホース支承筒２２の下部吸入口２５は、便容器１７の底部１８から小間隔離して上方に設け、かつ、汲取りホース支承筒２２の下部吸入口２５には、汲取りホース支承筒２２内に挿入された汲取りホース２７の下降を阻止する棒状のストッパ２６が２条設けてある。
【００１７】
そして、前記床１の前寄りの位置の他側には、固液分離器３０装着用の孔と、減菌剤収容部３３に減菌剤を挿入する孔が設けてあり、この固液分離器３０装着用の孔には、固液分離器３０の上部が挿入され、この固液分離器３０の上部に、固液分離器蓋３１が嵌合されて、固液分離器３０を固定している。
【００１８】
そして、固液分離器３０の排出流路３５には、減菌剤収容部３３が設けてあり、この減菌剤収容部３３の上部の孔より図示してない減菌剤を挿入し、そして、この減菌剤収容部３３は、減菌剤収容部蓋３４で閉鎖している。
【００１９】
そして、前記排出流路３５は、便容器１７の排出流路挿通孔１９に密嵌して挿通されて、便容器１７の外部に導出され、先端部が排水路５０に臨むように形成してある。
【００２０】
また、固液分離器３０の流入口３２の外側には、環状のスクレーパ３２が外嵌してあり、このスクレーパ３２には、２組の連結杆３９（図１では１組のみ示されている）が連結してあり、この連結杆３９の上部は、固液分離器３０の中心の方に湾曲して設け、さらに連結杆３９の上部に弧状部材４０（図１の固液分離器３０の中心を、弧状の中心とする弧状部材４０）を連結し、この弧状部材４０にそれぞれ操作杆４１を接続し、この操作杆４１は床１の上方に延出させ、上端部には把手４２が接続してある。
【００２１】
そして、前記把手４２を上下動することにより、スクレーパ３８を上下動させ、このスクレーパ３８で固液分離器３０の流入口３２を清掃するものである。
そして、この実施の形態は、床１の前端部にタラップ支持体４７で支持されたタラップ４６を取付けてあり、また、４個の支柱装着用孔８に装着する図示してない支柱に、図示してない幌を取付け、幌の前面を開閉できるように形成してある。
【００２２】
この実施の形態の簡易トイレは、便容器１７内に屎尿が溜ると、固形の大便は屎尿中の水分によって溶解する。そして、この溶解は屎尿中の微生物よる分解作用によって一層促進される。
【００２３】
そして、溶解した液状部分は、固液分離器３０の流入口３２から固液分離器３０内に流入し、減菌剤収容部３３内の減菌剤で減菌されて排出流路３５から排出路５０に排出される。
【００２４】
次に、便容器１７内に、固液分離器３０で排出しなかった屎尿が満ちたら、汲取りホース支承筒２２に、バキュームカーの汲取りホース２７を挿入し、汲取りホース２７の先端部が、汲取りホース支承筒２２の下部吸入口２５に設けたストッパ２６に当接するまで押下げる。
【００２５】
そして、この状態の汲取りホース２７で、便容器１７内の屎尿を吸引すると、便容器１７内には、汲取りホース支承筒２２の下部吸入口２５の高さまで屎尿が残留して、その余の屎尿は汲取られる。
【００２６】
そして、汲取りホース支承筒２２の下部吸入口２５に、トイレットペーパその他の固形物が詰まった場合は、汲取りホース支承筒２２から汲取りホース２７を抜取り、汲取りホース支承筒２２の上部開口部２４から棒などを挿入して、下部吸入口２５に詰まった固形物などを取除く。
【００２７】
そして、下部吸入口２５に詰まった固形物などが、棒などでは取除くことができない場合は、床１から汲取りホース支承筒２２を取外すなどして、固形物などを取除く。
【００２８】
そして、汲取りホース支承筒２２は、床１に設けた孔に吊り下げて設けてあるので、床１から汲取りホース支承筒２２を取外すなどしても、便容器１７内の屎尿が汲取りホース支承筒２２を取外した孔から漏れる虞れはない。
【００２９】
そして、前記汲取りホース支承筒２２は、可撓性を有する合成樹脂でも形成できる。そして、汲取りホース支承筒２２を可撓性を有する合成樹脂で形成すると、汲取りホース支承筒２２を、床１に装着した状態で汲取りホース支承筒２２を折畳むことができ、床１に汲取りホース支承筒２２を装着した状態で折畳んで移送でき便利である。
【００３０】
そして、汲取りホース支承筒２２を可撓性を有する合成樹脂で形成した場合は、汲取りホース支承筒２２を合成樹脂シート３と一体に形成することができ、組立てが容易である。
【００３１】
【発明の効果】
本発明は、床１に直線状の汲取りホース支承筒２２を吊下げて設け、この汲取りホース支承筒２２は、上部開口部２４より汲取りホース２７を挿入できる内径に形成すると共に、汲取りホース支承筒２２の下部吸入口２５を、便容器１７の底部１８から小間隔離して設け、かつ、汲取りホース支承筒２２の下部吸入口２５には、汲取りホース２７の下降を阻止するストッパ２６を設けたものである。
【００３２】
したがって、本発明は、バキュームカーの汲取りホース２７で汲取っても、便容器１７内に一定量の屎尿が存在するように形成した汲取りホース支承筒２２の下部吸入口２５に、トイレットペーパその他の固形物が詰まった場合に、汲取りホース支承筒２２の上部開口部２４から棒などを挿入して下部吸入口２５に詰まった物を容易に取除くことができる。
【００３３】
そして、下部吸入口２５に詰まった物が棒などでは取除きが困難な場合は、汲取りホース支承筒２２を床１から取外すなどして詰まった物を取除くことができる。
【００３４】
そして、本発明は、床１から汲取りホース支承筒２２を取外しても、便容器１７から屎尿が漏れる虞れはなく、付近を汚染しないものである。
【図面の簡単な説明】
【図１】本発明の一実施の形態の一部破断した要部の正面図で、図３のＡ−Ａ線の断面図
【図２】本発明の一実施の形態の汲取りホース支承筒の斜視図
【図３】本発明の一実施の形態の要部の平面図
【図４】従来例を示す図
【符号の説明】
１  床
２  ベニヤ板
３  合成樹脂製シート
７  枠材
８  支柱装着用孔
９  桟
１０  脚
１３  便器
１４  便器フランジ
１７  便容器
１８  底部
１９  排出流路挿通孔
２２  汲取りホース支承筒
２３  フランジ
２４  上部開口部
２５  下部吸入口
２６  ストッパ
２７  汲取りホース
２８  支承筒蓋
３０  固液分離器
３１  固液分離器蓋
３２  流入口
３３  減菌剤収容部
３４  減菌剤収容部蓋
３５  排出流路
３８  スクレーパ
３９  連結杆
４０  弧状部材
４１  操作杆
４２  把手
４６  タラップ
４７  タラップ支持体
５０  排水路
５３  Ｌ形筒
５４  盲栓
５５  吸入口
【図１】
0003649484.tif 000002
【図２】
0003649484.tif 000003
【図３】
0003649484.tif 000004
【図４】
0003649484.tif 000005